(57)【特許請求の範囲】
【請求項１】
左右およびセンタースピーカを有する音声装置において、音声の入力元を切り換える第１の切換手段と、センタースピーカのオン・オフを切り換える第２の切換手段と、前記第１の切換手段で選択された音声の音声モードを検知する検知手段と、前記第１の切換手段と前記第２の切換手段の切り換え情報を音声モードと対応させて記憶する記憶手段と、前記第１の切換手段と前記第２の切換手段を制御する制御手段を備え、前記制御手段は前記検知手段により検知された音声モードと前記記憶手段に記憶されている情報に基づき前記第１の切換手段と前記第２の切換手段を切り換えることを特徴とする音声装置。
【請求項２】
前記記憶手段は前記検知手段により検知された音声モードが２ヶ国語放送であった場合、前記第２の切換手段によりセンタースイッチをオフに切り換えることを記憶していることを特徴とする請求項１記載の音声装置。
【請求項３】
左右およびセンタースピーカを有する音声装置において、音声の入力元を切り換える第１の切換手段と、センタースピーカのオン・オフを切り換える第２の切換手段と、センタースピーカへの入力をＭＵＳＥ３−１ステレオのセンタースピーカ用の音声と左右のスピーカへの入力音声を混合した音声のいずれかに切り換える第３の切り換え手段と、前記第１の切換手段で選択された音声の音声モードを検知する検知手段と、前記第１の切換手段、前記第２の切換手段と前記第３の切換手段の切り換え情報を音声モードに対応して記憶する記憶手段と、前記第１の切換手段、前記第２の切換手段と前記第３の切換手段を制御する制御手段を備え、前記制御手段は前記検知手段により検知された音声モードと前記記憶手段に記憶されている情報に基づき音声デコーダに前記第１の切換手段、前記第２の切換手段と前記第３の切換手段を切り換えることを特徴とする音声装置。
【発明の詳細な説明】
【０００１】
【発明の属する技術分野】
本発明は電子機器における音声装置に関するものである。
【０００２】
【従来の技術】
従来、センタースピーカのオン・オフは放送の音声多重モードとは関係なくユーザーの操作のみにより行われていた。
【０００３】
【発明が解決しようとする課題】
従来の音声装置においては、受信した放送がＭＵＳＥ３−１ステレオであった場合ユーザーがセンタースピーカをオフに設定していると本来聞こえるべき音声が聞こえなくなるという問題があった。また、受信した放送が２チャンネルの２カ国語放送の場合ユーザーがセンタースピーカをオンに設定しているとセンタースピーカからは２カ国語がミックスされた音声が出力されるためチャンネルセパレーションが悪く聞きづらくなるという問題があった。
【０００４】
【課題を解決するための手段】
この課題を解決するために本発明は、音声モードがＭＵＳＥ３−１ステレオであった場合にセンタースピーカのオン・オフ設定に関わらず強制的にオンするように、また音声モードが２カ国語放送であった場合にセンタースピーカのオン・オフ設定に関わらず強制的にオフするように構成したものである。
【０００５】
これにより、 受信した放送がＭＵＳＥ３−１ステレオであった場合ユーザーがセンタースピーカをオフに設定していると本来聞こえるべき音声が聞こえなくなるという問題が解決でき、受信した放送が２チャンネルの２カ国語放送の場合ユーザーがセンタースピーカをオンに設定しているとセンタースピーカからは２カ国語がミックスされた音声が出力されるためチャンネルセパレーションが悪く聞きづらくなるという問題を解決できる。
【０００６】
【発明の実施の形態】
本発明の請求項1に記載の発明は、左右およびセンタースピーカを有する音声装置において、放送の音声多重モードにより自動的にセンタースピーカをオン・オフするようにしたものであり、ユーザーによるセンタースピーカのオン・オフ設定に関係なく放送の音声多重モードに最適なセンタースピーカのオン・オフ設定を行えるという作用を有する。
【０００７】
さらに、請求項２に記載の発明は、左右およびセンタースピーカを有する音声装置において、センタースピーカをオン・オフする手段と、該センタースピーカのオン・オフ情報を記憶する手段と、ＭＵＳＥ放送の音声モードを検出する手段と、音声モードがＭＵＳＥ３−１ステレオであった場合にセンタースピーカのオン・オフ設定に関わらず強制的にオンする手段を備えたものであり、 ユーザーがセンタースピーカをオフに設定していると本来聞こえるべき音声が聞こえなくなるという問題が解決できるという作用を有する。
【０００８】
さらに、請求項３に記載の発明は、左右およびセンタースピーカを有する音声装置において、センタースピーカをオン・オフする手段と、該センタースピーカのオン・オフ情報を記憶する手段と、地上波および衛星波の音声モードを検出する手段と、音声モードが２カ国語放送であった場合にセンタースピーカのオン・オフ設定に関わらず強制的にオフする手段とを備えたものであり、受信した放送が２チャンネルの２カ国語放送の場合ユーザーがセンタースピーカをオンに設定しているとセンタースピーカからは２カ国語がミックスされた音声が出力されるためチャンネルセパレーションが悪く聞きづらくなるという問題が解決できるという作用を有する。
【０００９】
（実施の形態１）
以下に本発明の実施の形態１における音声装置について、図1をもって説明する。
【００１０】
図1は本発明の実施の形態１における音声装置のブロック構成図を示す。
図1において、１はＢＳアンテナ、２はＢＳチューナ、３はＭＵＳＥデコーダ、４は入力切換ＳＷ、５はＵ／Ｖアンテナ、６はＵ／Ｖチューナ、７は音声多重復調回路、８はマイコン、９は不揮発性メモリ、１０はセンターチャンネル切換ＳＷ、１１、は左ＣＨトーンコントロール・音量調整回路、１２は右ＣＨトーンコントロール・音量調整回路、１３はセンターＣＨトーンコントロール・音量調整回路、１４は音声制御ＬＳＩ、１５はセンタースピーカ  オン・オフＳＷ、１６は左ＣＨ音声パワーアンプ、１７は右ＣＨ音声パワーアンプ、１８はセンターＣＨパワーアンプ、１９は左スピーカ、２０は右スピーカ、２１はセンタースピーカを示す。
【００１１】
上記構成において、ＭＵＳＥデコーダ３はＭＵＳＥ信号のデコードを行い音声多重情報を得、マイコン８は入力された該音声多重情報によってスイッチ１５を制御しセンタースピーカ２１のオン・オフを行う。
【００１２】
入力された該音声多重情報がＭＵＳＥ３−１ステレオであればスイッチ１５を閉じセンタースピーカ２１をオンにする。
【００１３】
（実施の形態２）
つぎに本発明の実施の形態２における音声装置について、図２をもって説明する。
【００１４】
図２は本発明の実施の形態２における音声装置のブロック構成図を示す。図２の場合も基本的な構成は、実施の形態１の場合と同様とした。
【００１５】
上記構成において、音声多重復調回路７は地上波放送の音声多重情報を得、マイコン８は入力された該音声多重情報によってスイッチ１５を制御しセンタースピーカ２１のオン・オフを行う。入力された該音声多重情報が２カ国語放送であ ればスイッチ１５を開きセンタースピーカ２１をオフにする。
【００１６】
なお、上記説明では、地上波放送における音声多重情報をマイコン８に入力する構成の例で説明したが、その他の衛星放送の音声多重情報をマイコン８に入力しスイッチ１５を制御する構成についても同様に実施可能である。
【００１７】
【発明の効果】
以上のように本発明によれば、受信した放送がＭＵＳＥ３−１ステレオであった場合、ユーザーがセンタースピーカをオフに設定していると本来聞こえるべき音声が聞こえなくなるという問題が解決でき、受信した放送が２チャンネルの２カ国語放送の場合、ユーザーがセンタースピーカをオンに設定しているとセンタースピーカからは２カ国語がミックスされた音声が出力されるためチャンネルセパレーションが悪く聞きづらくなるという問題を解決できるという有利な効果が得られる。
【図面の簡単な説明】
【図１】本発明の実施の形態１における音声装置のブロック構成図
【図２】本発明の実施の形態２における音声装置のブロック構成図
【符号の説明】
１  ＢＳアンテナ
２  ＢＳチューナ
３  ＭＵＳＥデコーダ
４  入力切換ＳＷ
５  Ｕ／Ｖアンテナ
６  Ｕ／Ｖチューナ
７  音声多重復調回路
８  マイコン
９  不揮発性メモリ
１０  センターチャンネル切換ＳＷ
１１  左ＣＨトーンコントロール・音量調整回路
１２  右ＣＨトーンコントロール・音量調整回路
１３  センターＣＨトーンコントロール・音量調整回路
１４   音声制御ＬＳＩ
１５   センタースピーカ  オン・オフＳＷ
１６   左ＣＨ音声パワーアンプ
１７   右ＣＨ音声パワーアンプ
１８   センターＣＨパワーアンプ
１９   左スピーカ
２０   右スピーカ
２１   センタースピーカ
【図１】
0003799776.tif 000002
【図２】
0003799776.tif 000003